(57)【要約】【課題】通信環境に応じた送信電力を報告することにより、ネットワーク側にて適切なシステム運営を行うとともに、スループットの低下及びシステム効率の低下を防ぐこと。【解決手段】コンプレストモード計算部１２４は、コンプレストモード情報及びスロットフォーマット情報に基づいて、コンプレストモードのフレームにおけるギャップとなるスロットを特定する。送信電力制御部１２５は、コンプレストモードのフレームにおけるギャップ以外のスロットについては、ＴＰＣコマンドにて指示されて設定する送信電力に対して、ΔＰｉｌｏｔだけ増加させた送信電力を設定する。ＤＰＣＣＨ送信電力報告部１２７は、送信電力制御部１２５にて設定した送信電力からΔＰｉｌｏｔの効果を取り除いた送信電力を示す報告値をチャネルエンコード部１２８へ出力する。【選択図】図４
2010016852.tif 000002
【特許請求の範囲】
【請求項１】
通信端末装置と基地局装置とを含む通信システムであって、
前記通信端末装置は、
受信信号に含まれるＴＰＣコマンド及び、一時的に送信を停止するスロットの前後の所定のスロットにおける送信電力を設定するための情報である送信電力設定用情報に基づいて所定のチャネルの送信電力を設定する送信電力設定手段と、
前記送信電力設定手段にて設定された、前記一時的に送信を停止するスロットを除いた所定区間の送信電力に基づく送信電力の報告値を報告する送信電力報告手段と、
前記送信電力設定手段にて設定された送信電力に基づいて送信信号を送信する送信手段と、を具備し、
前記基地局装置は、
前記通信端末装置から前記報告値を受信する受信手段と、
受信した前記報告値に基づいて、受信した前記報告値に基づいて、前記通信端末装置から前記基地局装置への送信をスケジューリングするスケジューリング手段と、を具備する、
通信システム。
【請求項２】
前記通信端末装置の前記送信電力報告手段は、前記通信端末装置の最大送信電力または前記通信端末装置に許可された最大送信電力に対する前記送信電力設定手段にて設定された送信電力の比を示す前記報告値を報告する、
請求項１に記載の通信システム。
【請求項３】
前記通信端末装置の前記送信電力報告手段は、前記所定区間に前記送信電力設定手段で設定された送信電力の平均値に基づく前記報告値を報告する、
請求項１または請求項２に記載の通信システム。
【請求項４】
通信端末装置と基地局装置とを含む通信システムで用いられる通信方法であって、
前記通信端末装置が、受信信号に含まれるＴＰＣコマンド及び、一時的に送信を停止するスロットの前後の所定のスロットにおける送信電力を設定するための情報である送信電力設定用情報に基づいて所定のチャネルの送信電力を設定するステップと、
前記通信端末装置が、設定した送信電力の内、前記一時的に送信を停止するスロットを除いた所定区間の送信電力に基づく送信電力の報告値を報告するステップと、
前記基地局装置が、前記通信端末装置から前記報告値を受信するステップと、
前記基地局装置が、受信した前記報告値に基づいて、受信した前記報告値に基づいて、前記通信端末装置から前記基地局装置への送信をスケジューリングするステップと、
を具備する通信方法。
【請求項５】
前記通信端末装置が、前記通信端末装置の最大送信電力または前記通信端末装置に許可された最大送信電力に対する前記設定した送信電力の比を示す前記報告値を報告する、
請求項４に記載の通信方法。
【請求項６】
前記通信端末装置が、前記所定区間に前記設定した送信電力の平均値に基づく前記報告値を報告する、
請求項４または請求項５に記載の通信方法。
【発明の詳細な説明】
【技術分野】
【０００１】
本発明は、通信システム及び通信方法に関する。
【背景技術】
【０００２】
上り回線においてパケットデータを高速に伝送する技術が検討されている。このようなパケットデータの伝送技術においては、いずれの通信端末装置が送信するかを割り当てる必要があり、この割り当て、すなわち、スケジューリングは通信端末が送信しているチャネルの送信電力もしくはパケットデータの送信のためにどのくらいの送信電力を使用できるかに関する情報，および通信端末がもつ送信データの量等に基づいて基地局で決定される。そして、基地局にて決定されたスケジューリングの情報は、通信中の各通信端末装置に送信され、通信端末装置は受信したスケジューリング結果の情報に基づいて、基地局に対してパケットデータを送信する。ＷＣＤＭＡシステムにて用いられる送信電力制御を行う個別チャネルであるＤＰＣＨ(Dedicated Physical Channel)には、パケット等の実際の伝送データであるＤＰＤＣＨ(Dedicated Physical Data Channel)、及びパイロット信号などから構成されるＤＰＣＣＨ(Dedicated Physical Control Channel)がある。上り回線高速パケット伝送において、基地局がスケジューリングを行うためには、通信端末装置は、閉ループ送信電力制御を行うためのパイロット信号を有するＤＰＣＣＨの送信電力を測定し、測定したＤＰＣＣＨの送信電力の情報を基地局に報告する。基地局は、通信端末装置より送信電力の情報を受け取ることにより、通信端末装置がセル端にいて送信電力に余裕がない状況なのか、それとも基地局の近くで高いレートで送信しているのかを知ることができる。
【０００３】
図１は、３ＧＰＰ  ＴＳ２５．２１１に定義されているＤＰＣＣＨのフレームフォーマットを示すものである。ＤＰＣＣＨにおいて、１フレームは、１０ｍｓｅｃの長さであり、スロット＃０〜＃１４の１５のスロットから構成される。そして、各スロットは、パイロットシンボル＃５１、ＴＦＣＩ（Transport Format Combination Indicator）＃５２、ＦＢＩ（FeedBackIndicator）＃５３及びＴＰＣ（Transmit Power Control）＃５４から構成される。
【０００４】
また、移動体通信の世界統一の標準規格であるＷＣＤＭＡのようにＦＤＤ(Frequency Division Duplex)方式を用いる場合、各オペレータは割り当てられた周波数帯域内で複数キャリアを運営することができる。このため、通信端末装置は、同じオペレータの別のキャリアを探す場合がある。例えば、通信端末装置が発振器を１つしか持っていない場合において、通信端末装置が下り回線で２１５０ＭＨｚのキャリアを探している時には、ＦＤＤにおいては上り回線と下り回線とのキャリアの周波数差は１９０ＭＨｚになっているため、上り回線では１９５０ＭＨｚでの送信を行うことはできない。このような場合、通信端末装置は送信できないデータを送信するために、上り回線において一時的に送信を停止するギャップと呼ばれる期間を設けたコンプレストモード（Compressed mode）を用いる。そして、コンプレストモードのフレームでは、ギャップでの送信停止によるゲイン低下による品質劣化を防ぐために、一時的に送信電力を増加させる。説明を簡単化するため閉ループ送信電力制御による電力変化がない場合を仮定した説明図を図２に示す。送信データがコンプレストモードではない通常のフレーム＃６０、＃６２、及びギャップ＃６３を有するコンプレストモードのフレーム＃６１からなる場合において、コンプレストモードのフレーム＃６１の各スロットの送信電力は、コンプレストモードではない通常のフレームの各スロットの送信電力に比べてΔＰ６４だけ高い送信電力に設定される。
【０００５】
また、アップリンクエンハンスメント（Uplink Enhancement）と呼ばれる、上り回線を高速化および低遅延化するための技術の検討が進められている（例えば、非特許文献１）。アップリンクエンハンスメントにおいて、高レートのデータを送信する際にチャネル推定精度を高めるために一時的にパイロットの送信電力を大きくする提案がされている。即ち、図３に示すように、パイロットシンボル＃７１、ＴＦＣＩ＃７２、ＦＢＩ＃７３、及びＴＰＣ＃７４を含むＤＰＣＣＨにおいて、高い送信レートにて送信する場合には、パイロットシンボル＃７１の送信電力は、通常の送信レートにて送信する場合に比べてΔＰ７５だけ高く設定される。
【先行技術文献】
【非特許文献】
【０００６】
【非特許文献１】3GPP, R1-040497, Boosting of DPCCH pilot power for E-DCH, Samsung
【発明の概要】
【発明が解決しようとする課題】
【０００７】
しかしながら、従来の装置においては、ギャップ＃６３、ΔＰ６４及びΔＰ７５、によるＤＰＣＣＨの送信電力の制御を特に考慮しないため、コンプレストモードまたはアップリンクエンハンスメントにおける高レート伝送が適用された通信端末装置、及びコンプレストモード及び前記高レート伝送の適用されない通信端末装置において伝搬環境が同じである場合でも、コンプレストモードまたは前記高レート伝送が適用された通信端末装置と、コンプレストモードおよび前記高レート伝送の適用されない通信端末装置とでは、基地局等のネットワーク側装置に対して報告する送信電力が異なる。したがって、基地局等のネットワーク側装置は全ての通信端末装置のＤＰＣＣＨの送信電力を同じ尺度で比較できなくなるため、ネットワーク側がシステムを適切に運営できないという問題がある。
【０００８】
例えば、コンプレストモードまたはアップリンクエンハンスメントによりＤＰＣＣＨの送信電力が制御される通信端末装置は、各スロットの送信電力を通常よりも高く設定した結果、基地局に報告する所定時間内の送信電力が、ＴＰＣコマンドに基づいて設定された送信電力よりも大きい場合がある。この場合、ネットワーク側は、通信端末装置が最大値付近の送信電力で送信しているために高い送信レートを割当てても無駄であると判断して、通信端末装置に割り当てる送信レートを下げるように指示する。この結果、通信端末装置は、コンプレストモードのフレーム以外のフレームまたは前記所定の高レート伝送以外の送信レートのフレームにおいては送信電力が余っているにも関わらず、高い送信レートでの送信を許されていないためにスループットが低下するという問題がある。
【０００９】
一方、コンプレストモードにより送信電力が制御される通信端末装置は、ギャップを設けたスロットは送信停止になるので、実際の基地局に報告する所定時間内の送信電力が、コンプレストモードが適用されない場合と比較して小さい場合がある。この場合、ネットワーク側は、通信端末装置の送信電力に余裕があると判断して高い送信レートでの送信を許可する。この結果、通信端末装置は送信電力を上げることができないために高い送信レートでの送信が行えず、ネットワーク側が割り当てたリソースを使いきれなくなるためシステムスループットの低下及びキャパシティの低下等のシステムの効率が低下するという問題がある。
【００１０】
また、下り回線にて高速パケットデータを送信するための上り回線におけるシグナリングの報告周期及びレピティション等の送信パラメータを適切な値に設定できなくなるため、下り回線のスループットにも影響が及ぶという問題がある。
【００１１】
本発明の目的は、通信環境に応じた送信電力を報告することにより、ネットワーク側にて適切なシステム運営を行うことができるとともに、スループットの低下及びシステム効率の低下を防ぐことができる通信システム及び通信方法を提供することである。
【課題を解決するための手段】
【００１２】
本発明の第１の態様に係る通信端末装置は、受信信号に含まれる送信電力を制御するためのＴＰＣコマンド及び送信電力を設定するための情報である送信電力設定用情報に基づいて既知のシンボルを含む所定のチャネルの送信電力を設定する送信電力設定手段と、前記送信電力設定手段にて設定された送信電力の内の前記ＴＰＣコマンドに基づいて設定された前記チャネルの送信電力を報告する送信電力報告手段と、前記送信電力設定手段にて設定された送信電力に基づいて送信信号を送信する送信手段と、を具備する構成を採る。
【００１３】
本発明の第２の態様に係るスケジューリング方法は、受信信号に含まれるＴＰＣコマンド及び送信電力を設定するための情報である送信電力設定用情報に基づいて既知のシンボルを含む所定のチャネルの送信電力を設定するステップと、設定された送信電力の内の前記ＴＰＣコマンドに基づいて設定された前記チャネルの送信電力を通信端末装置から基地局へ報告するステップと、設定された送信電力にて送信信号を通信端末装置から基地局へ送信するステップと、通信端末装置から基地局へ報告された前記送信電力と基地局が受信した前記既知のシンボルを含む所定のチャネルの受信電力とから各通信端末装置の通信品質を基地局にて求めるステップと、各通信端末装置の通信品質に基づいて送信を割り当てる処理であるスケジューリングを行うステップと、を具備するようにした。
【００１４】
本発明の第３の態様に係る送信電力導出方法は、受信信号に含まれる送信電力を制御するためのＴＰＣコマンド及び送信電力を設定するための情報である送信電力設定用情報に基づいて既知のシンボルを含む所定のチャネルの送信電力を設定するステップと、設定された送信電力の内の前記ＴＰＣコマンドに基づいて設定された前記チャネルの送信電力を求めるステップと、を具備するようにした。
【発明の効果】
【００１５】
本発明によれば、上り回線にて精度良く送信電力を報告することにより、ネットワーク側にて適切なシステム運営を行うことができるとともに、スループットの低下及びシステム効率の低下を防ぐことができる。
【図面の簡単な説明】
【００１６】
【図１】ＤＰＣＣＨのフォーマットを示す図
【図２】各スロットの送信電力を示す図
【図３】各データの送信電力を示す図
【図４】本発明の実施の形態１に係る通信端末装置の構成を示すブロック図
【図５】本発明の実施の形態１に係る基地局の構成を示すブロック図
【図６】本発明の実施の形態１に係るスケジューリング方法を示すフロー図
【図７】本発明の実施の形態１に係る各スロットの送信電力を示す図
【図８】本発明の実施の形態１に係るスロットフォーマットを示す図
【図９】本発明の実施の形態１に係る各スロットの送信電力を示す図
【図１０】本発明の実施の形態２に係る通信端末装置の構成を示すブロック図
【図１１】本発明の実施の形態３に係る通信端末装置の構成を示すブロック図
【図１２】本発明の実施の形態３に係るスケジューリング方法を示すフロー図
【図１３】本発明の実施の形態３に係る各スロットの送信電力を示す図
【図１４】本発明の実施の形態３に係る各スロットの送信電力を示す図
【発明を実施するための形態】
【００１７】
以下、本発明の実施の形態について、図面を参照して詳細に説明する。
【００１８】
（実施の形態１）
図４は、本発明の実施の形態１に係る通信端末装置１００の構成を示すブロック図である。通信端末装置１００は、アンテナ１０１、受信装置１０２及び送信装置１０３から主に構成される。
【００１９】
最初に受信装置１０２の構成について説明する。受信無線部１０４、逆拡散部１０５、ＳＩＲ（Signal to Interference Ratio）測定部１０６、ＴＰＣ生成部１０７、復調部１０８、チャネルデコード部１０９、逆拡散部１１０、復調部１１１、チャネルデコード部１１２、逆拡散部１１３、復調部１１４、及びチャネルデコード部１１５は、受信装置１０２を構成する。
【００２０】
受信無線部１０４は、アンテナ１０１にて受信した受信信号を無線周波数からベースバンド周波数にダウンコンバートして逆拡散部１０５、逆拡散部１１０及び逆拡散部１１３へ出力する。
【００２１】
逆拡散部１０５は、受信無線部１０４から入力した受信信号を逆拡散処理してＳＩＲ測定部１０６及び復調部１０８へ出力する。
【００２２】
ＳＩＲ測定部１０６は、逆拡散部１０５から入力した受信信号に含まれるパイロット信号を用いてＳＩＲを測定して、測定したＳＩＲの測定値の情報をＴＰＣ生成部１０７へ出力する。
【００２３】
ＴＰＣ生成部１０７は、ＳＩＲ測定部１０６から入力したＳＩＲの測定値の情報より、下り回線にて送信電力制御するためのＴＰＣコマンド（ＤＬ−ＴＰＣ）を生成する。
【００２４】
復調部１０８は、逆拡散部１０５から入力した受信信号を復調し、復調した受信データをチャネルデコード部１０９へ出力する。
【００２５】
チャネルデコード部１０９は、復調部１０８から入力した受信データに含まれている上り回線にて送信電力制御するためのＴＰＣコマンド（ＵＬ−ＴＰＣ）を抽出する。また、チャネルデコード部１０９は、受信データに含まれているギャップのタイミングの情報等を含むコンプレストモード情報（送信電力設定用情報）、及びＤＰＣＣＨのスロットフォーマットの情報であるスロットフォーマット情報（送信電力設定用情報）を抽出する。また、チャネルデコード部１０９は、シグナリングの報告周期、及びデータのビット数を増加させる処理であるレピティションにおける増加させるビット数の送信パラメータを通信端末装置１００にて設定するための情報である送信パラメータ情報を抽出する。さらに、チャネルデコード部１０９は、ＴＰＣコマンド、コンプレストモード情報、スロットフォーマット情報及び送信パラメータ情報を抽出した後の受信データを出力する。
【００２６】
逆拡散部１１０は、受信無線部１０４から入力した受信信号を逆拡散して復調部１１１へ出力する。
【００２７】
復調部１１１は、逆拡散部１１０から入力した受信信号を復調し、復調した受信データをチャネルデコード部１１２へ出力する。
【００２８】
チャネルデコード部１１２は、復調部１１１から入力した受信データを復号して、基地局が正しく受信できたことを示すＡＣＫ信号または基地局が正しく受信できなかったことを示すＮＡＣＫ信号を抽出する。
【００２９】
逆拡散部１１３は、受信無線部１０４から入力した受信信号を逆拡散して復調部１１４へ出力する。
【００３０】
復調部１１４は、逆拡散部１１３から入力した受信信号を復調し、復調した受信データをチャネルデコード部１１５へ出力する。
【００３１】
チャネルデコード部１１５は、復調部１１４から入力した受信データを復号してスケジューリング結果の情報であるスケジューリング結果情報を抽出する。
【００３２】
次に、送信装置１０３の構成について説明する。チャネルエンコード部１１６、変調部１１７、拡散部１１８、送信電力制御部１１９、乗算器１２０、チャネルエンコード部１２１、変調部１２２、拡散部１２３、コンプレストモード計算部１２４、送信電力制御部１２５、乗算器１２６、ＤＰＣＣＨ送信電力報告部１２７、チャネルエンコード部１２８、変調部１２９、拡散部１３０、送信電力制御部１３１、乗算器１３２、送信電力測定部１３３、バッファ１３４、データ量測定部１３５、伝送レート選択部１３６、送信パラメータ設定部１３７、チャネルエンコード部１３８、変調部１３９、拡散部１４０、送信電力制御部１４１、乗算器１４２、及び送信無線部１４３は、送信装置１０３を構成する。
【００３３】
また、チャネルエンコード部１２１、変調部１２２、拡散部１２３、コンプレストモード計算部１２４、送信電力制御部１２５、乗算器１２６、及びＤＰＣＣＨ送信電力報告部１２７は、ＤＰＣＣＨにてデータを送信するための処理を行う。また、チャネルエンコード部１１６、変調部１１７、拡散部１１８、送信電力制御部１１９、及び乗算器１２０は、ＤＰＤＣＨにてデータを送信するための処理を行う。また、チャネルエンコード部１２８、変調部１２９、拡散部１３０、送信電力制御部１３１、及び乗算器１３２は、上り回線のパケットデータ用の制御チャネルにてデータを送信するための処理を行う。また、送信電力測定部１３３、バッファ１３４、データ量測定部１３５、伝送レート選択部１３６、送信パラメータ設定部１３７、チャネルエンコード部１３８、変調部１３９、拡散部１４０、送信電力制御部１４１、及び乗算器１４２は、上り回線のパケットデータ用のチャネルにてデータを送信するための処理を行う。
【００３４】
チャネルエンコード部１１６は、入力したＤＰＤＣＨの送信データを符号化し、符号化した送信データを変調部１１７へ出力する。なお、簡単化のためＤＰＤＣＨは固定レートとして説明する。
【００３５】
変調部１１７は、チャネルエンコード部１１６から入力した送信データを変調し、変調した送信信号を拡散部１１８へ出力する。
【００３６】
拡散部１１８は、変調部１１７から入力した送信信号を拡散処理して乗算器１２０へ出力する。
【００３７】
送信電力制御部１１９は、送信電力制御部１２５から入力した送信電力に対して固定的なオフセットを乗じて乗算器１２０へ出力する。
【００３８】
乗算器１２０は、拡散部１１８から入力した送信信号に対して送信電力制御部１１９から入力した送信電力を乗算して送信無線部１４３へ出力する。
【００３９】
チャネルエンコード部１２１は、既知のシンボルであるパイロット信号、ＴＰＣ生成部１０７にて生成したＴＰＣコマンド及びＤＰＤＣＨのフォーマットの情報であるＴＦＣＩコマンドを含むＤＰＣＣＨの送信データを符号化して変調部１２２へ出力する。
【００４０】
変調部１２２は、チャネルエンコード部１２１から入力した送信データを変調し、変調した送信信号を拡散部１２３へ出力する。
【００４１】
拡散部１２３は、変調部１２２から入力した送信信号を拡散処理して乗算器１２６へ出力する。
【００４２】
コンプレストモード計算部１２４は、チャネルデコード部１０９にて受信データから抽出したコンプレストモード情報及びスロットフォーマット情報に基づいて、コンプレストモードのフレームにおけるギャップとなるスロットを特定して、ギャップとなるスロット及びΔＰｉｌｏｔを計算し、計算したギャップとなるスロットの情報及びΔＰｉｌｏｔの情報を送信電力制御部１２５及びＤＰＣＣＨ送信電力報告部１２７へ出力する。
【００４３】
送信電力設定手段である送信電力制御部１２５は、チャネルデコード部１０９にて抽出したＴＰＣコマンドに基づいてＤＰＣＣＨの送信電力（第一送信電力）を計算して設定する。この時、送信電力制御部１２５は、コンプレストモード計算部１２４から入力したギャップとなるスロットの情報より、ギャップとなるスロットについては送信停止を設定する。また、送信電力制御部１２５は、コンプレストモードの適用されるフレームにおけるギャップとなるスロット以外のスロット（高電力スロット）については、コンプレストモード計算部１２４から入力したΔＰｉｌｏｔの情報より、ＴＰＣコマンドにて指示されて設定する送信電力に対して、ΔＰｉｌｏｔに応じて増加させた送信電力（第二送信電力）を設定する。そして、送信電力制御部１２５は、設定した送信電力を送信電力制御部１１９、乗算器１２６、送信電力制御部１３１、送信電力測定部１３３及び送信電力制御部１４１へ出力する。
【００４４】
乗算器１２６は、拡散部１２３から入力したＤＰＣＣＨの送信信号に対して、送信電力制御部１２５にて設定した送信電力を乗算してＤＰＣＣＨ送信電力報告部１２７及び送信無線部１４３へ出力する。
【００４５】
送信電力報告手段であるＤＰＣＣＨ送信電力報告部１２７は、コンプレストモードのフレーム以外のフレームについては、乗算器１２６から入力した送信電力に基づいて、所定の報告区間内での送信電力の報告値を求めて送信電力情報としてチャネルエンコード部１２８へ出力する。また、ＤＰＣＣＨ送信電力報告部１２７は、コンプレストモードのフレームのギャップ以外のスロットについては、コンプレストモード計算部１２４から入力したギャップとなるスロットの情報及びΔＰｉｌｏｔの情報より、乗算器１２６から入力した送信電力からΔＰｉｌｏｔの効果をキャンセルするために、ΔＰｉｌｏｔに応じて送信電力を減らす。また、ＤＰＣＣＨ送信電力報告部１２７は、コンプレストモードのフレームのギャップのスロットについては、乗算器１２６から入力した送信電力を送信電力の報告値に含めない。すなわち、ＤＰＣＣＨ送信電力報告部１２７は、ギャップ以外のスロットの送信電力からΔＰｉｌｏｔの効果をキャンセルし、さらにギャップのスロットの送信電力を除いた送信電力に基づいて、所定の報告区間内での送信電力の報告値を求めて送信電力情報としてチャネルエンコード部１２８へ出力する。
【００４６】
チャネルエンコード部１２８は、ＤＰＣＣＨ送信電力報告部１２７から入力した送信電力情報及びデータ量測定部１３５から入力したデータ量の情報を含む送信データを、基地局にてスケジューリングするための情報として符号化して変調部１２９へ出力する。また、チャネルエンコード部１２８は、チャネルデコード部１０９にて抽出した送信パラメータ情報により指示されたシグナリングの報告周期にて送信データを変調部１２９へ出力する。なお、簡単化のためチャネルエンコード部１２８の出力は固定レートとして説明する。
【００４７】
変調部１２９は、チャネルエンコード部１２８から入力した送信データを変調し、変調した送信信号を拡散部１３０へ出力する。
【００４８】
拡散部１３０は、変調部１２９から入力した送信信号を拡散処理して乗算器１３２へ出力する。
【００４９】
送信電力制御部１３１は、送信電力制御部１２５から入力した送信電力に固定的なオフセットを乗じて乗算器１３２へ出力する。
【００５０】
乗算器１３２は、拡散部１３０から入力した送信信号に対して送信電力制御部１３１から入力した送信電力を乗算して送信無線部１４３へ出力する。
【００５１】
送信電力測定部１３３は、リソースとしての最大送信電力を記憶しており、記憶している最大送信電力から送信電力制御部１２５から入力した送信電力を減算して、残りのリソース、即ち残りの送信電力の情報を伝送レート選択部１３６へ出力する。
【００５２】
バッファ１３４は、入力した送信パケットデータを一時的に記憶し、送信パラメータ設定部１３７から入力したビット数の情報である指示情報により指示されたビット数の送信パケットデータをチャネルエンコード部１３８へ出力する。この時、バッファ１３４は、チャネルデコード部１１２にて抽出したＡＣＫ信号が入力した場合には、新たな送信パケットデータをチャネルエンコード部１３８へ出力し、チャネルデコード部１１２にて抽出したＮＡＣＫ信号が入力した場合には、すでに出力済みの送信パケットデータを再送データとしてチャネルエンコード部１３８へ出力する。また、バッファ１３４は、チャネルエンコード部１３８へ出力したデータ量の情報をデータ量測定部１３５へ出力する。
【００５３】
データ量測定部１３５は、所定時間におけるバッファ１３４から入力したデータ量の情報よりデータ量を測定して、測定したデータ量の情報をチャネルエンコード部１２８及び伝送レート選択部１３６へ出力する。
【００５４】
伝送レート選択部１３６は、送信電力測定部１３３から入力した送信電力の情報、チャネルデコード部１１５にて抽出したスケジューリング結果情報、データ量測定部１３５から入力したデータ量の情報、及び図示しない記憶部にあらかじめ記憶されている送信レートの候補の情報であるレート組合せ情報に基づいて、送信レートの候補の中から最適な送信レートを選択する。そして、伝送レート選択部１３６は、選択した送信レートの情報を送信パラメータ設定部１３７へ出力する。
【００５５】
送信パラメータ設定部１３７は、伝送レート選択部１３６から入力した送信レートの情報に基づいて、送信するビット数、符号化率、変調多値数、送信電力のオフセット量及び拡散率等の送信パラメータを選択する。そして、送信パラメータ設定部１３７は、選択したビット数の出力を指示する指示情報をバッファ１３４へ出力する。また、送信パラメータ設定部１３７は、選択した符号化率にて符号化するための情報である指示情報をチャネルエンコード部１３８へ出力する。また、送信パラメータ設定部１３７は、選択した変調多値数にて変調するための情報である指示情報を変調部１３９へ出力する。また、送信パラメータ設定部１３７は、選択した拡散率にて拡散処理するための情報である指示情報を拡散部１４０へ出力する。また、送信パラメータ設定部１３７は、ＤＰＣＣＨの送信電力に対する送信電力の増加比もしくは減少比を示すオフセット量の指示情報を送信電力制御部１４１へ出力する。
【００５６】
チャネルエンコード部１３８は、送信パラメータ設定部１３７から入力した指示情報及びチャネルデコード部１０９にて抽出した送信パラメータ情報に基づいて、バッファ１３４から入力した送信パケットデータを符号化して変調部１３９へ出力する。具体的には、チャネルエンコード部１３８は、バッファ１３４から入力した送信パケットデータに対して、送信パラメータ設定部１３７から入力した指示情報により指示された符号化率にて符号化するとともに、送信パラメータ情報により指示されたレピティション処理を行って変調部１３９へ出力する。
【００５７】
変調部１３９は、送信パラメータ設定部１３７から入力した指示情報に基づいて、チャネルエンコード部１３８から入力した送信パケットデータを変調して拡散部１４０へ出力する。
【００５８】
拡散部１４０は、送信パラメータ設定部１３７から入力した指示情報に基づいて、変調部１３９から入力した送信パケットデータを拡散処理して乗算器１４２へ出力する。
【００５９】
送信電力制御部１４１は、送信パラメータ設定部１３７から入力した指示情報に基づいて、送信電力制御部１２５から入力した送信電力にオフセット量を乗じて乗算器１４２へ出力する。
【００６０】
乗算器１４２は、拡散部１４０から入力した送信パケットデータに対して、送信電力制御部１４１から入力した送信電力を乗算して送信無線部１４３へ出力する。
【００６１】
送信無線部１４３は、乗算器１２０から入力した送信信号、乗算器１２６から入力した送信信号、乗算器１３２から入力した送信信号、及び乗算器１４２から入力した送信信号をベースバンド周波数から無線周波数にアップコンバートしてアンテナ１０１から送信する。
【００６２】
次に、基地局２００の構成について、図５を用いて説明する。図５は、基地局２００の構成を示すブロック図である。なお、基地局２００は、複数の通信端末装置１００から複数のチャネルにて送信された信号を受信して、チャネル毎に受信処理するものであるが、通信端末が報告するＤＰＣＣＨの送信電力情報を含む信号の受信処理を行う構成以外の構成の図５の記載及び説明は省略する。
【００６３】
受信無線部２０２は、アンテナ２０１にて受信した受信信号を無線周波数からベースバンド周波数にダウンコンバートして逆拡散部２０３へ出力する。
【００６４】
逆拡散部２０３は、受信無線部２０２から入力した受信信号を逆拡散処理して、各通信端末装置の受信信号を復調部２０４−１〜２０４−ｎ（ｎは任意の自然数）へ出力する。
【００６５】
復調部２０４−１〜２０４−ｎは、逆拡散部２０３から入力した受信信号を復調し、復調した受信データをチャネルデコード部２０５−１〜２０５−ｎ及び受信電力計測部２０７へ出力する。
【００６６】
チャネルデコード部２０５−１〜２０５−ｎは、復調部２０４−１〜２０４−ｎから入力した受信データを復号するとともに、復号した受信データを送信電力情報抽出部２０６へ出力する。
【００６７】
送信電力情報抽出部２０６は、チャネルデコード部２０５−１〜２０５−ｎから入力した受信データに含まれるＤＰＣＣＨの送信電力情報及びデータ量の情報を抽出してスケジューリング部２０８へ出力する。
【００６８】
受信電力計測部２０７は、復調部２０４−１〜２０４−ｎから入力した各通信端末装置におけるＤＰＣＣＨの受信信号に基づいて、通信端末装置毎に受信電力を計測する。そして、受信電力計測部２０７は、計測した受信電力の情報、もしくは受信電力より求めたＳＩＲ等の情報をスケジューリング部２０８へ出力する。
【００６９】
スケジューリング部２０８は、送信電力情報抽出部２０６から入力したＤＰＣＣＨの送信電力情報、データ量の情報、及び受信電力計測部２０７から入力したＤＰＣＣＨの受信電力もしくはＳＩＲの情報に基づいて通信端末装置に対して送信を割り当てるスケジューリングを行って、スケジューリング結果情報を生成する。また、スケジューリング部２０８は、送信パラメータ情報を生成する。そして、スケジューリング部２０８は、スケジューリング結果情報及び送信パラメータ情報を各通信端末装置の対応するチャネルエンコード部２０９−１〜２０９−ｎへ出力する。
【００７０】
チャネルエンコード部２０９−１〜２０９−ｎは、スケジューリング部２０８から入力したスケジューリング結果情報を含む送信データを符号化して変調部２１０−１〜２１０−ｎへ出力する。
【００７１】
変調部２１０−１〜２１０−ｎは、チャネルエンコード部２０９−１〜２０９−ｎから入力した送信データを変調し、変調した送信信号を拡散部２１１−１〜２１１−ｎへ出力する。
【００７２】
拡散部２１１−１〜２１１−ｎは、変調部２１０−１〜２１０−ｎから入力した送信信号を拡散処理して送信無線部２１２へ出力する。
【００７３】
送信無線部２１２は、拡散部２１１−１〜２１１−ｎから入力した送信信号をベースバンド周波数から無線周波数にアップコンバートしてアンテナ２０１より送信する。
【００７４】
次に、上り回線におけるスケジューリングの方法について、図６を用いて説明する。図６は、スケジューリングの方法を示すフロー図である。最初に、通信端末装置１００がコンプレストモードではないフレームの信号を受信した場合について説明する。
【００７５】
通信端末装置１００は、ＤＰＣＣＨ送信電力報告部１２７を初期化する（ステップＳＴ３０１）。
【００７６】
次に、通信端末装置１００は、受信した上り回線におけるＴＰＣコマンドをチャネルデコード部１０９にて取得する。
【００７７】
次に、通信端末装置１００は、送信電力制御部１２５にて、ＴＰＣコマンドに基づいてＤＰＣＣＨの送信電力を設定する。この時、送信電力制御部１２５は、コンプレストモード計算部１２４からは何も入力がないので、ＴＰＣコマンドに基づいて設定した送信電力を乗算器１２６へ出力する。具体的には、図７に示すように、送信電力制御部１２５は、コンプレストモードではないフレーム＃４０１において、ＴＰＣコマンドの指示にしたがって、直前に受信したＤＰＣＣＨのスロットの送信電力に対してデシベル（ｄＢ）単位で送信電力を加算する。例えば、送信電力制御部１２５は、直前に受信したスロットがスロット＃４０２である場合でかつＴＰＣコマンドによりΔＰ１だけ送信電力を増加させるように指示された場合には、スロット＃４０２の次に送信するスロット＃４０３の送信電力として、スロット＃４０２で設定した送信電力にΔＰ１だけ送信電力を増加した送信電力を設定する。
【００７８】
次に、通信端末装置１００は、ＤＰＣＣＨ送信電力報告部１２７にて、受信したスロットがギャップで有るか否かを判定する（ステップＳＴ３０２）。この時、ＤＰＣＣＨ送信電力報告部１２７は、コンプレストモード計算部１２４から何も入力がないためギャップではないものと判断する。
【００７９】
次に、ＤＰＣＣＨ送信電力報告部１２７は、ΔＰｉｌｏｔが０ｄＢであるか否か、即ちコンプレストモードにより送信電力をΔＰｉｌｏｔだけ増加させる必要があるのか否かを判定する（ステップＳＴ３０３）。この時、ＤＰＣＣＨ送信電力報告部１２７は、フレーム＃４０１はコンプレストモードのフレームではないので、送信電力をΔＰｉｌｏｔだけ増加させる旨のコンプレストモード情報がコンプレストモード計算部１２４から入力しないため、送信電力をΔＰｉｌｏｔだけ増加させないものと判定する。したがって、ＤＰＣＣＨ送信電力報告部１２７は、ＴＰＣコマンドにしたがって設定された送信電力を初期化以後に設定された過去のスロットの送信電力に加算する（ステップＳＴ３０４）。
【００８０】
次に、ＤＰＣＣＨ送信電力報告部１２７は、フレーム＃４０１の全てのスロットの処理が終了したか否かを判定する（ステップＳＴ３０５）。
【００８１】
フレーム＃４０１の全てのスロットの処理が終了した場合には、ＤＰＣＣＨ送信電力報告部１２７は、初期化以後に加算した各スロットの送信電力の加算値をスロット数にて除算して、１スロット当たりの送信電力を求める（ステップＳＴ３０６）。例えば、フレーム＃４０１は１５スロット数から構成されているので、１５個のスロットについて設定された送信電力を加算した加算値を１５で除算することにより１スロット当たりの送信電力を求める。
【００８２】
そして、通信端末装置１００は、ＤＰＣＣＨ送信電力報告部１２７にて求めた１スロット当たりの送信電力を、ＤＰＣＣＨの送信電力情報として基地局２００へ報告する（ステップＳＴ３０７）。
【００８３】
一方、ステップＳＴ３０５において、１フレームの全てのスロットの処理が終了していない場合には、ステップＳＴ３０２〜ステップＳＴ３０５の処理を繰り返す。
【００８４】
ＤＰＣＣＨの送信電力情報を受信した基地局２００は、送信電力情報抽出部２０６にて送信電力情報を抽出するとともに、受信電力計測部２０７にて受信電力を計測する。次に、基地局２００は、スケジューリング部２０８にて、受信電力の情報及び送信電力情報に基づいてスケジューリングを行う。具体的には、スケジューリング部２０８は、各通信端末装置１００におけるＤＰＣＣＨの送信電力に対する各通信端末装置１００の基地局２００におけるＤＰＣＣＨの受信電力を求めることにより、各通信端末装置の通信品質を推定することができる。したがって、スケジューリング部２０８は、推定した通信品質が良好な通信端末装置１００から順番に、所定の数の通信端末装置１００に対して送信を割り当てていく。次に、基地局２００は、スケジューリングした結果をスケジューリング結果情報として各通信端末装置１００へ送信する。また、基地局２００は、スケジューリング部２０８にて送信パラメータを設定して、設定した送信パラメータ情報を通信端末装置１００へ送信する。また、基地局２００は、フレーム＃４０１の次のフレーム＃４０４をコンプレストモードとする情報及びどのスロットを送信停止するかを含むコンプレストモード情報を各通信端末装置１００へ送信する。また、スロットフォーマット情報は、通信開始時に各通信端末装置１００へ送信する。
【００８５】
次に、スケジューリング結果情報を受信した通信端末装置１００は、チャネルデコード部１１５にてスケジューリング結果情報を取得し、伝送レート選択部１３６にてスケジューリング結果情報に基づいて伝送レートを選択する。伝送レートを選択する際には、例えば、伝送レート選択部１３６は、送信電力の情報、スケジューリング結果情報、データ量の情報、及びレート組合せ情報と、伝送レートの情報とを関係付けた伝送レート選択用情報を保存したテーブルを記憶しておいて、送信電力の情報、スケジューリング結果情報、データ量の情報、及びレート組合せ情報を用いて、伝送レート選択用情報を参照することにより伝送レートを選択する方法等により伝送レートを選択する。また、送信パラメータ情報を受信した通信端末装置１００は、送信パラメータ情報により指示されたシグナリングの報告周期にてＤＰＣＣＨの送信電力情報及びデータ量の情報を基地局２００へ送信する。
【００８６】
次に、通信端末装置１００は、送信パラメータ設定部１３７にて、選択した伝送レートに基づいて、送信するビット数、符号化率、変調多値数、送信電力のオフセット量及び拡散率等の送信パラメータを選択する。送信パラメータを選択する際には、例えば、送信パラメータ設定部１３７は、各送信パラメータと伝送レートとを関係付けた送信パラメータ設定用情報を保存したテーブルを記憶し、伝送レート選択部１３６にて選択した伝送レートの情報を用いて記憶している送信パラメータ設定用情報を参照することにより各送信パラメータを選択する等の方法により送信パラメータを選択する。
【００８７】
そして、通信端末装置１００は、送信パラメータ設定部１３７にて選択した各送信パラメータにて送信パケットデータを処理して基地局２００へ送信する。この時、チャネルエンコード部１３８は、送信パラメータ情報により指示されたレピティション処理を行う。
【００８８】
次に、通信端末装置１００が、コンプレストモードのフレームの信号を受信した場合について説明する。
【００８９】
通信端末装置１００は、フレーム＃４０１の全てのスロットの送信電力の設定が終了した後、ＤＰＣＣＨ送信電力報告部１２７を初期化する（ステップＳＴ３０１）。
【００９０】
次に、通信端末装置１００は、受信した上り回線におけるＴＰＣコマンドをチャネルデコード部１０９にて取得する。
【００９１】
次に、通信端末装置１００は、受信したコンプレストモード及びスロットフォーマット情報をチャネルデコード部１０９にて受信データから抽出する。スロットフォーマット情報は、図８に示すような情報である。図８において、スロットフォーマット番号「０」、「１」、「２」、「３」、「４」、「５」のフレームはコンプレストモードではないフレームにおけるスロットのフォーマットであり、スロットフォーマット番号「０Ａ」、「０Ｂ」、「２Ａ」、「２Ｂ」、「５Ａ」、「５Ｂ」のフレームは、スロットフォーマット番号「０」、「２」、「５」に対応したコンプレストモードのフレームにおけるスロットのフォーマットである。コンプレストモードのフレームにおいて用いられるスロットのフォーマットは、ギャップの長さに基づいて通信端末装置１００において計算を行い決定される。
【００９２】
次に、通信端末装置１００は、コンプレストモード計算部１２４にてコンプレストモード情報に基づいてコンプレストモードのフレームにおけるギャップとなるスロットを特定する。例えば、通信端末装置１００が受信するコンプレストモード情報は、コンプレストモードのフレームがフレーム＃４０４である旨の情報、コンプレストモードのギャップ＃４０５の開始スロットがスロット＃４０６の次のスロットである旨の情報、ギャップ＃４０５が何スロットかの情報を含んでいる。コンプレストモード計算部１２４は、ギャップ＃４０５はスロット＃４０４の次のスロットから開始されて７スロット分設けられること、及びギャップ＃４０５の次に送信されるスロットはスロット＃４０７であることを計算により求める。また、コンプレストモード計算部１２４は、ギャップ＃４０５が何スロットからなるかの情報および通信開始時に設定されたスロットフォーマット情報（例えばスロットフォーマット番号「０」とする）より、スロットフォーマット番号「０Ｂ」であることを計算により求める。さらに、コンプレストモード計算部１２４は、コンプレストモードのフレーム＃４０４の各スロットの送信電力が、ＴＰＣコマンドにて設定する送信電力に対してさらにΔＰｉｌｏｔとしてΔＰ２だけ増加することを計算により求める。
【００９３】
次に、通信端末装置１００は、送信電力制御部１２５にて、ＴＰＣコマンド、ΔＰｉｌｏｔの情報及びコンプレストモード計算部１２４にて特定したギャップの情報に基づいて、ＤＰＣＣＨの送信電力を設定する。具体的には、送信電力制御部１２５は、ＴＰＣコマンドの指示にしたがって、直前に受信したＤＰＣＣＨのスロットの送信電力に対してデシベル（ｄＢ）単位で送信電力を加算するとともに、ΔＰｉｌｏｔの情報よりＴＰＣコマンドにて設定した送信電力にΔＰｉｌｏｔを加算する。例えば、送信電力制御部１２５は、直前に受信したスロットがスロット＃４０８である場合でかつＴＰＣコマンドによりΔＰ３だけ送信電力を増加させるように指示された場合には、スロット＃４０８の次に送信するスロット＃４０９の送信電力として、スロット＃４０８で設定した送信電力にΔＰ３だけ増加した送信電力を設定する。さらに、送信電力制御部１２５は、ΔＰｉｌｏｔの情報より送信電力をさらにΔＰ２増加させる。即ち、送信電力制御部１２５は、スロット＃４０９の送信電力として、スロット＃４０８の送信電力よりもデシベルにおいてΔＰ２＋ΔＰ３だけ増加した送信電力を設定する。
【００９４】
次に、通信端末装置１００は、ＤＰＣＣＨ送信電力報告部１２７にて、受信したスロットがギャップで有るか否かを判定する（ステップＳＴ３０２）。
【００９５】
ギャップではない場合には、ＤＰＣＣＨ送信電力報告部１２７は、ΔＰｉｌｏｔが０ｄＢであるか否かを判定する（ステップＳＴ３０３）。
【００９６】
送信電力をΔＰ２だけ増加させる旨の情報がコンプレストモード計算部１２４からＤＰＣＣＨ送信電力報告部１２７に入力していることによりΔＰｉlｏｔは０ｄＢではないので、ＤＰＣＣＨ送信電力報告部１２７は、送信電力制御部１２５にて設定したＤＰＣＣＨの送信電力からΔＰｉｌｏｔ、即ちΔＰ２をキャンセルする（ステップＳＴ３０８）。そして、ＤＰＣＣＨ送信電力報告部１２７は、送信電力制御部１２５にて設定したＤＰＣＣＨの送信電力からΔＰ２をキャンセルした送信電力、即ちＴＰＣコマンドにしたがって設定された送信電力を初期化以後に設定された過去のスロットの送信電力に加算する（ステップＳＴ３０４）。このようにして求めたフレーム＃４０４における各スロットの送信電力の加算値は、送信するスロットの送信電力のみを加算しており、ギャップ＃４０５のスロットの送信電力は加算しないので、閉ループ送信電力制御以外による送信電力制御を含まないＤＰＣＣＨの送信電力を測定することができる。
【００９７】
一方、ステップＳＴ３０２において、ギャップである場合には、ＤＰＣＣＨ送信電力報告部１２７は、初期化以後に設定された過去のスロットの送信電力に送信電力を加算せずにフレーム＃４０４の全てのスロットの処理が終了したか否かを判定する（ステップＳＴ３０５）。
【００９８】
フレーム＃４０４の全てのスロットの処理が終了した場合には、ＤＰＣＣＨ送信電力報告部１２７は、初期化以後に加算した各スロットの送信電力の加算値を、フレーム＃４０４のギャップ＃４０５のスロットを除いたスロット数にて除算して、１スロット当たりの送信電力を求める（ステップＳＴ３０６）。例えば、フレーム＃４０４は、ギャップ＃４０５を除いたスロット数は８スロットであるので、８個のスロットについて設定された送信電力を加算した加算値を８で除算することにより１スロット当たりの送信電力を求める。なお、以後の処理はコンプレストモードではないフレームの処理と同一であるのでその説明は省略する。
【００９９】
図９は、コンプレストモードのフレーム＃６０１において、ギャップ＃６０２後にリカバリーピリオド（Recovery Period）と呼ばれる区間＃６０３を設定する場合を示すものであり、区間＃６０３は、閉ループ送信電力制御のステップを大きくするものである。区間＃６０３において、スロット＃６０５の送信電力は、スロット＃６０４の送信電力に比べてΔＰ４だけ減少している。図９の場合においても、コンプレストモード情報により指示された送信電力のΔＰ２をキャンセルしたＤＰＣＣＨの送信電力を、フレーム＃６０１のＤＰＣＣＨの送信電力情報として基地局２００に報告する。
【０１００】
このように、本実施の形態１によれば、コンプレストモードによる増加分の送信電力、即ちΔＰｉｌｏｔをキャンセルして、コンプレストモードのギャップによる送信停止区間を含めずに、ＴＰＣコマンドに基づいて設定した送信電力をＤＰＣＣＨの送信電力情報として報告するので、通信環境に応じた送信電力を報告することにより、ネットワーク側にて適切なシステム運営を行うことができるとともに、スループットの低下及びシステム効率の低下を防ぐことができる。
【０１０１】
なお、本実施の形態１においては、閉ループ送信ダイバーシチに用いるＦＢＩのない場合について説明したが、ＦＢＩを用いる場合についても本実施の形態１を適用することができる。
【０１０２】
（実施の形態２）
図１０は、本発明の実施の形態２に係る通信端末装置７００の構成を示すブロック図である。
【０１０３】
本実施の形態２に係る通信端末装置７００は、図４に示す実施の形態１に係る通信端末装置１００において、図１０に示すように、逆拡散部１１０、復調部１１１及びチャネルデコード部１１２、逆拡散部１１３、復調部１１４、チャネルデコード部１１５、チャネルエンコード部１２８、変調部１２９、拡散部１３０、送信電力制御部１３１、乗算器１３２、送信電力測定部１３３、バッファ１３４、データ量測定部１３５、伝送レート選択部１３６、送信パラメータ設定部１３７、チャネルエンコード部１３８、変調部１３９、拡散部１４０、送信電力制御部１４１及び乗算器１４２を除き、平均部７０３及び送信データ生成部７０４を追加する。なお、図１０においては、図４と同一構成である部分には同一の符号を付してその説明は省略する。
【０１０４】
通信端末装置７００は、アンテナ１０１、受信装置７０１及び送信装置７０２から主に構成される。最初に受信装置７０１の構成について説明する。受信無線部１０４、逆拡散部１０５、ＳＩＲ測定部１０６、ＴＰＣ生成部１０７、復調部１０８、チャネルデコード部１０９は、受信装置７０１を構成する。
【０１０５】
チャネルデコード部１０９は、復調部１０８から入力した受信データを復号するとともに、受信データに含まれている上り回線にて送信電力制御するためのＴＰＣコマンド（ＵＬ−ＴＰＣ）を抽出する。また、チャネルデコード部１０９は、受信データに含まれているギャップのタイミングの情報等を含むコンプレストモード情報、及びスロットフォーマット情報を抽出する。そして、チャネルデコード部１０９は、ＴＰＣコマンド、コンプレストモード情報及びスロットフォーマット情報を抽出した後の受信データを出力する。
【０１０６】
次に、送信装置７０２の構成について説明する。チャネルエンコード部１１６、変調部１１７、拡散部１１８、送信電力制御部１１９、乗算器１２０、チャネルエンコード部１２１、変調部１２２、拡散部１２３、コンプレストモード計算部１２４、送信電力制御部１２５、乗算器１２６、ＤＰＣＣＨ送信電力報告部１２７、送信無線部１４３、平均部７０３及び送信データ生成部７０４は、送信装置７０２を構成する。
【０１０７】
また、チャネルエンコード部１２１、変調部１２２、拡散部１２３、コンプレストモード計算部１２４、送信電力制御部１２５、乗算器１２６、ＤＰＣＣＨ送信電力報告部１２７及び平均部７０３は、ＤＰＣＣＨにてデータを送信するための処理を行う。また、チャネルエンコード部１１６、変調部１１７、拡散部１１８、送信電力制御部１１９、乗算器１２０及び送信データ生成部７０４は、ＤＰＤＣＨにてデータを送信するための処理を行う。
【０１０８】
ＤＰＣＣＨ送信電力報告部１２７は、コンプレストモードのフレーム以外のフレームについては、乗算器１２６から入力した送信電力に基づいて、所定の報告区間内での送信電力の報告値を求めて送信電力情報として平均部７０３へ出力する。また、ＤＰＣＣＨ送信電力報告部１２７は、コンプレストモードのフレームについては、コンプレストモード計算部１２４から入力したギャップとなるスロットの情報及びΔＰｉｌｏｔの情報より、乗算器１２６から入力した送信電力からΔＰｉｌｏｔを減算し、ΔＰｉｌｏｔを減算した送信電力に基づいて、所定の報告区間内での送信電力の報告値を求めて送信電力情報として平均部７０３へ出力する。
【０１０９】
平均部７０３は、ＤＰＣＣＨ送信電力制御部１２７から所定時間に入力した送信電力情報の送信電力を平均して、平均した送信電力の情報である平均送信電力情報を送信データ生成部７０４へ出力する。
【０１１０】
送信データ生成部７０４は、入力した送信データに平均部７０３から入力した平均送信電力情報を含めてチャネルエンコード部１１６へ出力する。
【０１１１】
チャネルエンコード部１１６は、送信データ生成部７０４から入力したＤＰＤＣＨの送信データを符号化し、符号化した送信データを変調部１１７へ出力する。なお、基地局の構成は図５と同一構成であるので、その説明は省略する。
【０１１２】
このように、本実施の形態２によれば、上記実施の形態１の効果に加えて、ＴＰＣコマンドに基づいて設定したＤＰＣＣＨの送信電力を所定時間平均して、平均した送信電力の情報を報告することにより、フェージング等の短区間変動の影響を除去できるので、比較的長い時間にてシステムを制御したい場合に安定した制御を行うことができる。また、本実施の形態２によれば、ＤＰＣＣＨの送信電力を所定時間平均した後に報告することにより、送信電力を報告する頻度を減らすことができるので、効率の良いシステム運営を行うことができる。
【０１１３】
なお、本実施の形態２において、上り回線のスケジューリングは行わずに通常の送信レートにて送信することとしたが、これに限らず、上り回線のスケジューリングを行って高速にて送信パケットデータを送信する場合にも適用することができる。
【０１１４】
（実施の形態３）
図１１は、本発明の実施の形態３に係る通信端末装置８００の構成を示すブロック図である。本実施の形態３に係る通信端末装置８００は、図４に示す実施の形態１に係る通信端末装置１００において、図１１に示すように、コンプレストモード計算部１２４を除き、送信電力制御部１２５の代わりに送信電力制御部８０４を有し、ＤＰＣＣＨ送信電力報告部１２７の代わりにＤＰＣＣＨ送信電力報告部８０５を有するとともに、伝送レート選択部１３６の代わりに伝送レート選択部８０３を有する。なお、図１１においては、図４と同一構成である部分には同一の符号を付してその説明は省略する。
【０１１５】
通信端末装置８００は、アンテナ１０１、受信装置８０１及び送信装置８０２から主に構成される。最初に受信装置８０１の構成について説明する。受信無線部１０４、逆拡散部１０５、ＳＩＲ測定部１０６、ＴＰＣ生成部１０７、復調部１０８、チャネルデコード部１０９、逆拡散部１１０、復調部１１１、チャネルデコード部１１２、逆拡散部１１３、復調部１１４、及びチャネルデコード部１１５は、受信装置８０１を構成する。
【０１１６】
チャネルデコード部１１５は、復調部１１４から入力した受信データを復号してスケジューリング結果の情報であるスケジューリング結果情報を抽出する。
【０１１７】
次に、送信装置８０２の構成について説明する。チャネルエンコード部１１６、変調部１１７、拡散部１１８、送信電力制御部１１９、乗算器１２０、チャネルエンコード部１２１、変調部１２２、拡散部１２３、乗算器１２６、チャネルエンコード部１２８、変調部１２９、拡散部１３０、送信電力制御部１３１、乗算器１３２、送信電力測定部１３３、バッファ１３４、データ量測定部１３５、送信パラメータ設定部１３７、チャネルエンコード部１３８、変調部１３９、拡散部１４０、送信電力制御部１４１、乗算器１４２、送信無線部１４３、伝送レート選択部８０３、送信電力制御部８０４及びＤＰＣＣＨ送信電力報告部８０５は、送信装置８０２を構成する。
【０１１８】
また、チャネルエンコード部１２１、変調部１２２、拡散部１２３、乗算器１２６、送信電力制御部８０４及びＤＰＣＣＨ送信電力報告部８０５は、ＤＰＣＣＨにてデータを送信するための処理を行う。また、チャネルエンコード部１１６、変調部１１７、拡散部１１８、送信電力制御部１１９、及び乗算器１２０は、ＤＰＤＣＨにてデータを送信するための処理を行う。また、チャネルエンコード部１２８、変調部１２９、拡散部１３０、送信電力制御部１３１、及び乗算器１３２は、上り回線のパケットデータ用の制御チャネルにてデータを送信するための処理を行う。また、送信電力測定部１３３、バッファ１３４、データ量測定部１３５、送信パラメータ設定部１３７、チャネルエンコード部１３８、変調部１３９、拡散部１４０、送信電力制御部１４１、乗算器１４２及び伝送レート選択部８０３は、上り回線のパケットデータ用のチャネルにてデータを送信するための処理を行う。
【０１１９】
送信電力制御部１１９は、送信電力制御部８０４から入力した送信電力の情報における送信電力に対して固定的なオフセットを乗じて乗算器１２０へ出力する。
【０１２０】
乗算器１２６は、拡散部１２３から入力したＤＰＣＣＨの送信信号に対して、送信電力制御部８０４にて設定した送信電力を乗算してＤＰＣＣＨ送信電力報告部８０５及び送信無線部１４３へ出力する。
【０１２１】
チャネルエンコード部１２８は、ＤＰＣＣＨ送信電力報告部８０５から入力した送信電力情報及びデータ量測定部１３５から入力したデータ量の情報を含む送信データを、基地局にてスケジューリングするための情報として符号化して変調部１２９へ出力する。
【０１２２】
送信電力制御部１３１は、送信電力制御部８０４から入力した送信電力に送信パラメータ設定部１３７から入力したオフセット量を加算するか、または送信電力制御部８０４から入力した送信電力から送信パラメータ設定部１３７から入力したオフセット量を減算して、乗算器１３２へ出力する。
【０１２３】
送信電力測定部１３３は、リソースとしての最大送信電力を記憶しており、記憶している最大送信電力から送信電力制御部８０４から入力した送信電力を減算して、残りのリソース、即ち残りの送信電力の情報を伝送レート選択部８０３へ出力する。
【０１２４】
データ量測定部１３５は、所定時間におけるバッファ１３４から入力したデータ量の情報よりデータ量を測定して、測定したデータ量の情報をチャネルエンコード部１２８及び伝送レート選択部８０３へ出力する。
【０１２５】
送信パラメータ設定部１３７は、伝送レート選択部８０３から入力した送信レートの情報に基づいて、送信するビット数、符号化率、変調多値数、送信電力のオフセット量及び拡散率等の送信パラメータを選択する。そして、送信パラメータ設定部１３７は、選択したビット数だけ出力するように指示する指示情報をバッファ１３４へ出力する。また、送信パラメータ設定部は、選択した符号化率にて符号化することを指示する情報である指示情報をチャネルエンコード部１３８へ出力する。また、送信パラメータ設定部１３７は、選択した変調多値数にて変調することを指示する情報である指示情報を変調部１３９へ出力する。また、送信パラメータ設定部１３７は、選択した拡散率にて拡散処理することを指示する情報である指示情報を拡散部１４０へ出力する。また、送信パラメータ設定部１３７は、選択したオフセット量を送信電力に加算するか、または送信電力から選択したオフセット量を減算することを指示する情報である指示情報を送信電力制御部１１９、送信電力制御部１３１及び送信電力制御部１４１へ出力する。
【０１２６】
送信電力制御部１４１は、送信パラメータ設定部１３７から入力した指示情報に基づいて、送信電力制御部８０４から入力した送信電力にオフセット量を加算するか、または送信電力制御部８０４から入力した送信電力からオフセット量を減算して乗算器１４２へ出力する。
【０１２７】
伝送レート選択部８０３は、送信電力測定部１３３から入力した送信電力の情報、チャネルエンコード部１１５にて抽出したスケジューリング結果情報、データ量測定部１３５から入力したデータ量の情報、及び送信レートの候補の情報であるレート組合せ情報に基づいて、送信レートの候補の中から最適な送信レートを選択する。そして、伝送レート選択部８０３は、選択した送信レートの情報を送信パラメータ設定部１３７へ出力する。また、伝送レート選択部８０３は、所定の伝送レート（第一伝送レート）よりも高い伝送レート（第二伝送レート）にするように指示された区間である高レート区間（Pilot Boost区間）の情報（送信電力設定用情報）、及び高レート区間においてはチャネル推定精度を高めるために一時的に増加させる送信電力の増加量の情報であるΔＰｉｌｏｔの情報（送信電力設定用情報）がスケジューリング結果情報に含まれている場合には、高レート区間の情報及びΔＰｉｌｏｔの情報を送信電力制御部８０４及びＤＰＣＣＨ送信電力報告部８０５へ出力する。
【０１２８】
送信電力設定手段である送信電力制御部８０４は、チャネルデコード部１０９にて抽出したＴＰＣコマンドの指示に基づいてＤＰＣＣＨの送信電力（第一送信電力）を設定する。この時、送信電力制御部８０４は、伝送レート選択部８０３から入力した高レート区間の情報より、高レート区間以外の区間においてはＴＰＣコマンドの指示に基づいてＤＰＣＣＨの送信電力を設定し、高レート区間においては、ΔＰｉｌｏｔの情報よりＴＰＣコマンドの指示に基づいて設定した送信電力よりもΔＰｉｌｏｔだけ高い送信電力（第二送信電力）を設定する。そして、送信電力制御部８０４は、設定した送信電力を送信電力制御部１１９、乗算器１２６、送信電力制御部１３１、送信電力測定部１３３及び送信電力制御部１４１へ出力する。
【０１２９】
送信電力報告手段であるＤＰＣＣＨ送信電力報告部８０５は、伝送レート選択部８０３から入力した高レート区間の情報及びΔＰｉｌｏｔの情報より、高レート区間以外の区間のスロットにおいては乗算器１２６から入力した送信電力を送信電力情報としてチャネルエンコード部１２８へ出力し、高レート区間のスロット（高電力スロット）においては乗算器１２６から入力した送信電力からΔＰｉｌｏｔを減算し、ΔＰｉｌｏｔを減算した送信電力、即ちＴＰＣコマンドに基づいて、所定の報告区間内での送信電力の報告値を求めて送信電力情報としてチャネルエンコード部１２８へ出力する。なお、基地局の構成は図５と同一であるので、その説明は省略する。
【０１３０】
次に、上り回線におけるスケジューリングの方法について、図１２を用いて説明する。図１２は、スケジューリングの方法を示すフロー図である。最初に、通信端末装置１００が高レート区間を含まないフレームの信号を受信した場合について説明する。
【０１３１】
通信端末装置８００は、ＤＰＣＣＨ送信電力報告部８０５を初期化する（ステップＳＴ９０１）。
【０１３２】
次に、通信端末装置８００は、受信した上り回線におけるＴＰＣコマンドをチャネルデコード部１０９にて取得する。
【０１３３】
次に、通信端末装置８００は、送信電力制御部８０４にて、ＴＰＣコマンドに基づいてＤＰＣＣＨの送信電力を設定する。この時、送信電力制御部８０４は、伝送レート選択部８０３から入力した高レート区間の情報より、高レート区間を含まないフレームの処理であるので、ＴＰＣコマンドに基づいて設定した送信電力を乗算器１２６へ出力する。具体的には、図１３に示すように、送信電力制御部８０４は、高レート区間＃１００１を含まないフレーム＃１００２において、ＴＰＣコマンドの指示にしたがって、直前に受信したＤＰＣＣＨのスロットの送信電力に対してデシベル（ｄＢ）単位で送信電力を送信電力制御部８０４にて加算する。例えば、送信電力制御部８０４は、直前に受信したスロットがスロット＃１００３である場合でかつＴＰＣコマンドによりΔＰ１０だけ送信電力を増加させるように指示された場合には、スロット＃１００３の次に送信するスロット＃１００４の送信電力として、スロット＃１００３で設定した送信電力にΔＰ１０の送信電力を加算した送信電力を設定する。
【０１３４】
次に、ＤＰＣＣＨ送信電力報告部８０５は、ΔＰｉｌｏｔが０ｄＢであるか否か、高レート区間において送信電力をΔＰｉｌｏｔだけ増加させる必要があるのか否かを判定する（ステップＳＴ９０２）。この時、ＤＰＣＣＨ送信電力報告部８０５は、フレーム＃１００２は高レート区間を含まないフレームであるのでΔＰｉｌｏｔは０ｄＢであり、ＴＰＣコマンドにしたがって設定された送信電力を初期化以後に設定された過去のスロットの送信電力に加算する（ステップＳＴ９０３）。
【０１３５】
次に、ＤＰＣＣＨ送信電力報告部８０５は、フレーム＃１００２の全てのスロットの処理が終了したか否かを判定する（ステップＳＴ９０４）。
【０１３６】
フレーム＃１００２の全てのスロットの処理が終了した場合には、ＤＰＣＣＨ送信電力報告部８０５は、初期化以後に加算した各スロットの送信電力の加算値をスロット数にて除算して、１スロット当たりの送信電力を求める（ステップＳＴ９０５）。例えば、フレーム＃１００２は１５スロット数から構成されているので、１５個のスロットについて設定された送信電力を加算した加算値を１５で除算することにより１スロット当たりの送信電力を求める。
【０１３７】
そして、通信端末装置８００は、ＤＰＣＣＨ送信電力報告部８０５にて求めた送信電力を、ＤＰＣＣＨの送信電力情報として基地局２００へ報告する（ステップＳＴ９０６）。
【０１３８】
一方、ステップＳＴ９０４において、フレーム＃１００２の全てのスロットの処理が終了していない場合には、ステップＳＴ９０２〜ステップＳＴ９０４の処理を繰り返す。
【０１３９】
ＤＰＣＣＨの送信電力情報を受信した基地局２００は、送信電力情報抽出部２０６にて送信電力情報を抽出するとともに、受信電力計測部２０７にて受信電力を計測する。次に、基地局２００は、スケジューリング部２０８にて、受信電力の情報及び送信電力情報に基づいてスケジューリングを行う。具体的には、スケジューリング部２０８は、各通信端末装置８００におけるＤＰＣＣＨの送信電力に対する各通信端末装置８００の基地局２００におけるＤＰＣＣＨの受信電力を求めることにより、各通信端末装置の通信品質を推定することができる。次に、基地局２００は、スケジューリングした結果をスケジューリング結果情報として各通信端末装置８００へ送信する。この時、基地局２００は、フレーム＃１００２の次のフレーム＃１００５を高レート区間とする情報、及び高レート区間における送信電力をΔＰ１１だけ増加させる送信電力の増加量の情報をスケジューリング結果情報に含める。なお、これに限らず、基地局２００は送信レートを指示し、通信端末装置１００が高レートか否かを判断し、その判断結果に基づいてΔＰ１１を決める等してもよい。
【０１４０】
次に、スケジューリング結果情報を受信した通信端末装置８００は、チャネルデコード部１１５にてスケジューリング結果情報を取得し、伝送レート選択部８０３にてスケジューリング結果情報に基づいて伝送レートを選択する。伝送レートを選択する際には、例えば、伝送レート選択部８０３は、送信電力の情報、スケジューリング結果情報、データ量の情報、及びレート組合せ情報と、伝送レートとを関係付けた伝送レート選択用情報を保存したテーブルを記憶しておいて、送信電力の情報、スケジューリング結果情報、データ量の情報、及びレート組合せ情報を用いて記憶している伝送レート選択用情報を参照することにより伝送レートを選択する方法等により伝送レートを選択する。フレーム＃１００２は高レート区間＃１００１を含むフレームではないため、伝送レート選択部８０３は、高レート区間の情報及び送信電力の増加量の情報は出力しない。
【０１４１】
次に、通信端末装置８００は、送信パラメータ設定部１３７にて、選択した伝送レートに基づいて、送信するビット数、符号化率、変調多値数、送信電力のオフセット量及び拡散率等の送信パラメータを選択する。送信パラメータを選択する際には、例えば、送信パラメータ設定部１３７は、各送信パラメータと伝送レートとを関係付けた送信パラメータ設定用情報を保存したテーブルを記憶し、伝送レート選択部８０３にて選択した伝送レートの情報を用いて記憶している送信パラメータ設定用情報を参照することにより各送信パラメータを選択する等の方法により各送信パラメータを選択する。
【０１４２】
そして、通信端末装置８００は、送信パラメータ設定部１３７にて選択した各送信パラメータにて送信パケットデータを処理して基地局２００へ送信する。
【０１４３】
次に、通信端末装置８００が高レート区間を含むフレームの信号を受信した場合について説明する。
【０１４４】
通信端末装置８００は、フレーム＃１００２の全てのスロットの送信電力の設定が終了した後、ＤＰＣＣＨ送信電力報告部８０５を初期化する（ステップＳＴ９０１）。
【０１４５】
次に、通信端末装置８００は、受信した上り回線におけるＴＰＣコマンドをチャネルデコード部１０９にて取得する。
【０１４６】
次に、通信端末装置８００は、フレーム＃１００２の送信タイミングからフレーム＃１００５の送信タイミングになった場合には、伝送レート選択部８０３から送信電力制御部８０４及びＤＰＣＣＨ送信電力報告部８０５に対して、高レート区間の情報及びΔＰｉｌｏｔの情報が出力される。
【０１４７】
次に、通信端末装置８００は、送信電力制御部８０４にて、ＴＰＣコマンド及びΔＰｉｌｏｔの情報に基づいてＤＰＣＣＨの送信電力を設定する。具体的には、送信電力制御部８０４は、ＴＰＣコマンドの指示にしたがって、直前に受信したＤＰＣＣＨのスロットの送信電力に対してデシベル（ｄＢ）単位で送信電力を加算するとともに、ΔＰｉｌｏｔの情報より、ＴＰＣコマンドにしたがって設定した送信電力にΔＰｉｌｏｔを加算する。例えば、送信電力制御部８０４は、直前に受信したスロットがスロット＃１００６である場合でかつＴＰＣコマンドによりΔＰ１１だけ送信電力を増加させるように指示された場合には、スロット＃１００６の次に送信するスロット＃１００７の送信電力として、スロット＃１００６で設定した送信電力にΔＰ１１の送信電力を加算した送信電力を設定する。さらに、送信電力制御部８０４は、ΔＰｉｌｏｔの情報よりΔＰｉｌｏｔとしてΔＰ１２を送信電力に加算する。即ち、送信電力制御部８０４は、スロット＃１００７の送信電力として、スロット＃１００６の送信電力よりも（ΔＰ１１＋ΔＰ１２）だけ増加した送信電力を設定する。
【０１４８】
次に、通信端末装置８００は、ＤＰＣＣＨ送信電力報告部８０５にて、ΔＰｉｌｏｔが０ｄＢであるか否かを判定する（ステップＳＴ９０２）。
【０１４９】
フレーム＃１００５は高レート区間＃１００１を含むフレームのためにΔＰｉｌｏｔは０ｄＢではないので、ＤＰＣＣＨ送信電力報告部８０５は、送信電力制御部８０４にて設定したＤＰＣＣＨの送信電力からΔＰｉｌｏｔ、即ちΔＰ１２をキャンセルする（ステップＳＴ９０７）。そして、ＤＰＣＣＨ送信電力報告部８０５は、送信電力制御部８０４にて設定したＤＰＣＣＨの送信電力からΔＰ１２をキャンセルした送信電力、即ちＴＰＣコマンドにしたがって設定された送信電力を初期化以後に設定された過去のスロットの送信電力に加算する（ステップＳＴ９０３）。このようにして求めたフレーム＃１００５における各スロットの送信電力の加算値は、ΔＰ１２を含まない送信電力のみを加算しており、閉ループ送信電力制御以外による送信電力制御を含まないＤＰＣＣＨの送信電力を測定することができる。なお、以後の処理は高レート区間を含まないフレームの処理と同一であるのでその説明は省略する。
【０１５０】
図１３においては、高レート区間を１フレームの長さにしたが、これに限らず、高レート区間を１フレーム以外の長さにしても良い。図１４は、高レート区間を１フレームの５分の１の長さにした場合を示すものである。フレーム＃１１０１は、高レート区間＃１１０２、高レート区間１１０３及び高レート区間１１０４の３つの高レート区間を含んでいる。そして、各高レート区間＃１１０２、＃１００３、＃１００４は、ＴＰＣコマンドにしたがって設定した送信電力に対して送信電力をΔＰｉｌｏｔ、即ちΔ１２だけ増加させている。したがって、ＤＰＣＣＨ送信電力報告部８０５は、フレーム＃１１０１における各スロットの送信電力の加算値を求める際、高レート区間＃１１０２、＃１１０３、＃１１０４においてはΔＰ１２をキャンセルしてＴＰＣコマンドにしたがって設定した送信電力を求め、ΔＰ１２をキャンセルした各スロットの送信電力の加算値を求める。
【０１５１】
このように、本実施の形態３においては、高レート区間を含むフレームにおいてはＴＰＣコマンドにしたがって設定した送信電力からΔＰｉｌｏｔをキャンセルして、ＴＰＣコマンドに基づいて設定した送信電力をＤＰＣＣＨの送信電力情報として報告するので、通信環境に応じた送信電力を報告することにより、ネットワーク側にて適切なシステム運営を行うことができるとともに、スループットの低下及びシステム効率の低下を防ぐことができる。
【０１５２】
なお、本実施の形態３において、高レート区間のＤＰＣＣＨに含まれるパイロットシンボルの送信電力を増加させることとしたが、これに限らず、チャネル推定精度を向上させるために、ＤＰＣＣＨに含まれるパイロットとＤＰＣＣＨ以外の別のチャネルでもパイロットシンボル(Secondary Pilot)を送信するという方法を用いても良く、この場合にはＤＰＣＣＨ以外の別のチャネルのパイロットシンボルをＤＰＣＣＨの送信電力の測定に含めずに測定したＤＰＣＣＨの送信電力を報告すれば良い。また、本実施の形態３において、チャネル推定精度を向上させるためにＤＰＣＣＨに含まれるパイロットシンボル数を増やすという方法も考えられるが、ＤＰＣＣＨの送信電力を測定する場合には特に影響はない。この場合、ＤＰＣＣＨの送信電力の代わりにパイロットシンボルの送信電力を測定する方法を用いても良いが、増えたパイロットシンボル分の送信電力を測定に含めなければ特に影響はない。
【０１５３】
なお、上記実施の形態１〜実施の形態３において、送信電力を設定した後にΔＰｉｌｏｔをキャンセルすることとしたが、これに限らず、ΔＰｉｌｏｔを付加する前に送信電力を計算して基地局に報告しても良い。また、上記実施の形態１〜実施の形態３においては、報告区間を１フレームとした例について説明したため１フレームの全てのスロットの処理が終了した後に送信電力を基地局に報告することとしたが、これに限らず、報告区間は１フレーム以外の任意の区間でもよいため１フレーム以外の任意の区間の処理が終了した後に送信電力を基地局に報告しても良い。
【０１５４】
また、上記実施の形態１〜実施の形態３において、ＤＰＣＣＨの送信電力を報告することとしたが、これに限らず、閉ループ送信電力制御が適用できてパイロットシンボルが含まれたチャネルであれば、ＤＰＣＣＨ以外の任意のチャネルの送信電力を報告しても良い。また、上記実施の形態１〜実施の形態３において、ＤＰＣＣＨの送信電力を測定することとしたが、これに限らず、ＤＰＣＣＨに含まれるパイロットシンボルのみを用いて送信電力を測定もしくは計算して報告しても良い。また、上記実施の形態１〜実施の形態３において、コンプレストモードのフレーム内のΔＰｉｌｏｔは全て同一であることとしたが、これに限らず、コンプレストモードのフレーム内の各スロットのΔＰｉｌｏｔがスロット毎に異なるようにしても良い。また、上記実施の形態１〜実施の形態３においては、パイロット信号を含むチャネルの送信電力を報告することとしたが、これに限らず、パイロット信号以外の任意の既知信号を含むチャネルの送信電力を報告することができる。
【０１５５】
また、上記実施の形態１〜実施の形態３において、通信端末装置の送信電力や送信データ量の情報の送信について、送信パラメータ情報により指示された報告周期およびレピティション処理を行って送信する例で説明したが、送信パラメータ情報により送信を制御する対象はこれに限らず、下り高速パケット伝送における下り伝搬路の品質を通知するための情報であるＣＱＩ（Ｃｈａｎｎｅｌ  Ｑｕａｌｉｔｙ  Ｉｎｄｉｃａｔｏｒ）やＨＡＲＱにおけるＡＣＫおよびＮＡＣＫ等であってもよい。上り回線で送信する信号であればなんでもよい。
【０１５６】
また、上記実施の形態１〜実施の形態３において、送信電力制御部１２５にて設定した送信電力からΔＰｉｌｏｔの効果を取り除いた送信電力を報告値として報告するか、または送信電力制御部８０４にて設定した送信電力からΔＰｉｌｏｔの効果を取り除いた送信電力の平均値を報告値として報告したが、これに限らず、報告値は送信電力制御手段にて設定した送信電力からΔＰｉｌｏｔの効果を含まないもしくは取り除いた送信電力に基づいたものであれば何でも良い。要するに、通信端末装置が報告する目的は、基地局装置にて通信端末装置のコンプレストモードおよび高レート送信によるＤＰＣＣＨに含まれるパイロットシンボルの送信電力の増加の影響を含まない送信電力を把握することであるため、この目的を達成できるものであれば任意の報告値を用いることができる。例えば、報告値は、基準電力に対する、送信電力制御手段にて設定した送信電力からΔＰｉｌｏｔの効果を含まない送信電力の比、即ち相対値であっても良い。この場合、基準電力として、例えば、通信端末装置の最大送信電力または通信端末装置に許可された最大送信電力を用いることができ、基地局装置と通信端末装置とで共通の基準電力を記憶する。
【産業上の利用可能性】
【０１５７】
本発明は、通信環境に応じた送信電力を報告することにより、ネットワーク側にて適切なシステム運営を行うことができるとともに、スループットの低下及びシステム効率の低下を防ぐ効果を有し、スケジューリングするのに有用である。
【図１】
2010016852.tif 000003
【図２】
2010016852.tif 000004
【図３】
2010016852.tif 000005
【図４】
2010016852.tif 000006
【図５】
2010016852.tif 000007
【図６】
2010016852.tif 000008
【図７】
2010016852.tif 000009
【図８】
2010016852.tif 000010
【図９】
2010016852.tif 000011
【図１０】
2010016852.tif 000012
【図１１】
2010016852.tif 000013
【図１２】
2010016852.tif 000014
【図１３】
2010016852.tif 000015
【図１４】
2010016852.tif 000016
【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
通信端末装置と基地局装置とを含む通信システムであって、
前記通信端末装置は、
受信信号に含まれるＴＰＣコマンド及び、一時的に送信を停止するスロットの前後の所定のスロットにおける送信電力を設定するための情報である送信電力設定用情報に基づいて所定のチャネルの送信電力を設定する送信電力設定手段と、
前記送信電力設定手段にて設定された、前記一時的に送信を停止するスロットを除いた所定区間の送信電力に基づく送信電力の報告値を報告する送信電力報告手段と、
前記送信電力設定手段にて設定された送信電力に基づいて送信信号を送信する送信手段と、を具備し、
前記基地局装置は、
前記通信端末装置から前記報告値を受信する受信手段と、
受信した前記報告値に基づいて、受信した前記報告値に基づいて、前記通信端末装置から前記基地局装置への送信をスケジューリングするスケジューリング手段と、を具備する、
通信システム。
【請求項２】
通信端末装置と基地局装置とを含む通信システムで用いられる通信方法であって、
前記通信端末装置が、受信信号に含まれるＴＰＣコマンド及び、一時的に送信を停止するスロットの前後の所定のスロットにおける送信電力を設定するための情報である送信電力設定用情報に基づいて所定のチャネルの送信電力を設定するステップと、
前記通信端末装置が、設定した送信電力の内、前記一時的に送信を停止するスロットを除いた所定区間の送信電力に基づく送信電力の報告値を報告するステップと、
前記基地局装置が、前記通信端末装置から前記報告値を受信するステップと、
前記基地局装置が、受信した前記報告値に基づいて、受信した前記報告値に基づいて、前記通信端末装置から前記基地局装置への送信をスケジューリングするステップと、
を具備する通信方法。